(57)【要約】【課題】メンテナンス作業や破損部品の交換作業を容易に行い得る広告装置を提供する。【解決手段】投射光Ｌを射出する光学エンジン１２が収容された投射ユニット２と、投射光Ｌが背面側から投射されて画像を表示するスクリーンパネル１５ａ，１５ｂが配設された表示ユニット３とを備え、投射ユニット２および表示ユニット３は、互いに分割可能に一体化されている。これにより、メンテナンス作業や破損部品の交換作業を両ユニット２，３を分割した状態で行うことが可能となるため、これらの作業を容易に行うことが可能となる。【選択図】図３
2005274692.tif 000002
【特許請求の範囲】
【請求項１】
投射光を射出する光学エンジンが収容された投射ユニットと、前記投射光が背面側から
投射されて画像を表示するスクリーンが配設された表示ユニットとを備え、前記投射ユニ
ットおよび前記表示ユニットは、互いに分割可能に一体化されている広告装置。
【請求項２】
前記スクリーンは、その表示面が非平面状に形成されている請求項１記載の広告装置。
【請求項３】
前記表示ユニットは、前記スクリーンを複数備え、前記投射ユニットおよび前記表示ユ
ニットの少なくとも一方は、前記投射光を光学的に分割して前記各スクリーンにそれぞれ
投射する光学系を備えている請求項１または２記載の広告装置。
【請求項４】
前記表示ユニットは、前記スクリーンを複数備え、前記投射ユニットおよび前記表示ユ
ニットの少なくとも一方は、前記投射光の反射方向を切り替えて前記各スクリーンにそれ
ぞれ投射する光学系を備えている請求項１または２記載の広告装置。
【請求項５】
前記スクリーンは、筒状に形成され、前記投射ユニットおよび前記表示ユニットの少な
くとも一方は、前記投射光の反射方向を連続的に変更して当該スクリーンにおける当該投
射光の投射領域を時間経過と共に移動させる光学系を備えている請求項１記載の広告装置
。
【発明の詳細な説明】
【技術分野】
【０００１】
本発明は、スクリーンの背面側から投射光を投射して画像を表示する広告装置に関する
ものである。
【背景技術】
【０００２】
この種の広告装置として、特開２００３−１４９７３９号公報に開示された屋外表示板
装置が知られている。この屋外表示板装置は、スクリーン、ミラーおよびリアプロジェク
ター装置（光学エンジン）などが密閉された屋外表示板本体内に収容されて構成されてい
る。
【特許文献１】特開２００３−１４９７３９号公報（第２−４頁、第３図）
【発明の開示】
【発明が解決しようとする課題】
【０００３】
ところが、従来の屋外表示板装置には、以下の問題点がある。すなわち、この屋外表示
板装置は、屋内で使用される家庭用のリアプロジェクタとは異なり、埃の多い屋外で使用
され、しかも稼働時間が長時間となるため、クリーニングやランプ交換などのメンテナン
スを定期的に行う必要がある。また、人通りの激しい道端に設置された状況下では、例え
ば、通行人が屋外表示板装置に衝突して、スクリーン、ミラーおよびリアプロジェクター
装置などの部品が破損することもあり、このようなときには、破損した部品を速やかに交
換する必要がある。しかしながら、従来の屋外表示板装置では、リアプロジェクター装置
（光学エンジン）、スクリーンおよびミラーなどが密閉された単一の屋外表示板本体内に
収容されているため、メンテナンス作業や破損部品の交換作業を行うのが困難であるとい
う問題点が存在する。
【０００４】
本発明は、かかる問題点に鑑みてなされたものであり、メンテナンス作業や破損部品の
交換作業を容易に行い得る広告装置を提供することを主目的とする。
【課題を解決するための手段】
【０００５】
上記目的を達成すべく本発明に係る広告装置は、投射光を射出する光学エンジンが収容
された投射ユニットと、前記投射光が背面側から投射されて画像を表示するスクリーンが
配設された表示ユニットとを備え、前記投射ユニットおよび前記表示ユニットは、互いに
分割可能に一体化されている。
【０００６】
この広告装置によれば、光学エンジンが収容された投射ユニットと、スクリーンが配設
された表示ユニットとを互いに分割可能に一体化させたことにより、両ユニットを分割し
た状態でメンテナンス作業や破損部品の交換作業を行うことができるため、これらの作業
を迅速かつ容易に行うことができる。
【０００７】
また、本発明に係る広告装置は、上記の広告装置において、前記スクリーンは、その表
示面が非平面状に形成されている。
【０００８】
この広告装置によれば、スクリーンの表示面を非平面状に形成したことにより、スクリ
ーンに表示された画像を斜め横方向からも視認させることができるため、広告効果を十分
に高めることができる。
【０００９】
さらに、本発明に係る広告装置は、上記の広告装置において、前記表示ユニットは、前
記スクリーンを複数備え、前記投射ユニットおよび前記表示ユニットの少なくとも一方は
、前記投射光を光学的に分割して前記各スクリーンにそれぞれ投射する光学系を備えてい
る。
【００１０】
この広告装置によれば、光学系が投射光を分割して複数のスクリーンにそれぞれ投射す
ることにより、１つの光学エンジンを用いて複数のスクリーンに画像を同時に表示するこ
とができるため、例えば、１つのスクリーンだけに画像を表示する広告装置と比較して、
広告効果をさらに高めることができる。
【００１１】
また、本発明に係る広告装置は、上記の広告装置において、前記表示ユニットは、前記
スクリーンを複数備え、前記投射ユニットおよび前記表示ユニットの少なくとも一方は、
前記投射光の反射方向を切り替えて前記各スクリーンにそれぞれ投射する光学系を備えて
いる。
【００１２】
この広告装置によれば、光学系が複数のスクリーンに投射光を切り替えてそれぞれ投射
することにより、簡易な構成で複数のスクリーンに画像をほぼ同時に表示することができ
る。
【００１３】
また、本発明に係る広告装置は、上記の広告装置において、前記スクリーンは、筒状に
形成され、前記投射ユニットおよび前記表示ユニットの少なくとも一方は、前記投射光の
反射方向を連続的に変更して当該スクリーンにおける当該投射光の投射領域を時間経過と
共に移動させる光学系を備えている。
【００１４】
この広告装置によれば、光学系が筒状に形成されたスクリーンにおける投射光の投射領
域を時間経過と共に移動させることにより、筒状のスクリーンにおいて画像の表示領域が
時間経過と共に移動するというこれまでにない斬新な画像表示を実現することができるた
め、広告効果を一層高めることができる。
【発明を実施するための最良の形態】
【００１５】
以下、添付図面を参照して、本発明に係る広告装置の最良の形態について説明する。最
初に、広告装置１の構成について、図面を参照して説明する。図１に示す広告装置１は、
本発明に係る広告装置の一例であって、背面投射方式で広告用の画像Ｇ（例えば、同図に
示す文字の画像。なお、図１，４，６では、広告装置１，１Ａ，１Ｂの作動時に表示され
る画像Ｇを表している）を表示可能に構成されている。具体的には、この広告装置１は、
互いに分割可能な投射ユニット２および表示ユニット３を備えて構成されている。投射ユ
ニット２は、図３に示すように、筐体１１を備え、この筐体１１内には、光学エンジン１
２および回路基板１３が収容されている。筐体１１は、図１に示すように、前面および背
面がそれぞれ若干湾曲した箱形に形成されている。また、筐体１１の上端部には、後述す
る表示ユニット３の筐体１４を連結する際に用いる複数の連結用金具６１，６１・・が取
り付けられている。光学エンジン１２は、例えば、光源としてのＬＥＤ（Light Emitting
Diode）と、回路基板１３から出力された表示画像データＤｇ２（これについては後述す
る）に基づいてＬＥＤからの光を投射光Ｌに変調する光変調素子（一例として、入射側偏
光板および射出側偏光板を備えた液晶ライトバルブ）と、投射光Ｌを拡大する投射レンズ
（いずれも図示せず）とを備えて構成されている。
【００１６】
回路基板１３は、図２に示すように、画像データ入力部２１、補正パラメータ記憶部２
２、ＶＲＡＭ２３および制御部２４を備えて構成されている。画像データ入力部２１は、
例えば、広告装置１の外部のサーバからＬＡＮ（Local Area Network）を介して表示画像
データＤｇ１を入力する。補正パラメータ記憶部２２は、制御部２４によって実行される
画像データ補正処理に使用される補正用パラメータＤｐを記憶する。ＶＲＡＭ２３は、画
像データ入力部２１に入力された表示画像データＤｇ１を制御部２４の制御下で一時的に
記憶する。制御部２４は、光学エンジン１２を制御する。また、制御部２４は、入力され
た表示画像データＤｇ１をＶＲＡＭ２３に記憶させる。また、制御部２４は、画像Ｇを表
示させる（光学エンジン１２から投射光Ｌを射出させる）際に、ＶＲＡＭ２３から読み出
した表示画像データＤｇ１に対して画像データ補正処理を実行することにより、後述する
スクリーンパネル１５ａ，１５ｂの曲率に対応する画像Ｇを表示させるための表示画像デ
ータＤｇ２に補正して光学エンジン１２に出力する。
【００１７】
表示ユニット３は、図３に示すように、筐体１４を備え、この筐体１４における前面お
よび背面の各開口部には、スクリーンパネル１５ａ，１５ｂ（以下、区別しないときには
「スクリーンパネル１５」ともいう）がそれぞれ配設されている。また、筐体１４内には
、光学系１７が収容されている。筐体１４は、図１に示すように、投射ユニット２の筐体
１１と同様にして、前面および背面が若干湾曲した箱形に形成されている。また、筐体１
４の下端部には、筐体１１の各連結用金具６１，６１・・に係合する連結用金具６２，６
２・・が取り付けられている。この場合、図３に示すように、投射ユニット２の上部に表
示ユニット３を載置して、各連結用金具６１，６１・・と各連結用金具６２，６２・・と
をそれぞれ係合させることにより、両ユニット２，３は、分割可能に一体化される。
【００１８】
スクリーンパネル１５は、本発明におけるスクリーンに相当し、背面側から投射された
投射光Ｌを受光して画像Ｇを表示する。この場合、スクリーンパネル１５は、一例として
、投射光Ｌを略平行光に変換するフレネルレンズと、平行光を拡大（拡散）光に変換する
レンチキュラーレンズと、拡大光を透過させると共にレンチキュラーレンズを保護する保
護板として機能する樹脂板（いずれも図示せず）とを備えて構成されている。また、スク
リーンパネル１５は、その表示面が筐体１４における前面および背面と同等の曲率で湾曲
した非平面状に形成されている。光学系１７は、図３に示すように、ハーフミラー３１ａ
および反射ミラー３１ｂ，３１ｃ（以下、区別しないときには「ミラー３１」ともいう）
を備えて構成されている。ハーフミラー３１ａは、光学エンジン１２から射出される投射
光Ｌの光路上に配設されて、投射光Ｌの一部を反射ミラー３１ｂに向けて反射すると共に
、投射光Ｌにおけるその一部を除く他の部分を透過させる。反射ミラー３１ｂは、ハーフ
ミラー３１ａによって反射された投射光Ｌをスクリーンパネル１５ａの背面側に向けて反
射する。反射ミラー３１ｃは、ハーフミラー３１ａを透過する投射光Ｌの光路上に配設さ
れて、ハーフミラー３１ａを透過した投射光Ｌをスクリーンパネル１５ｂの背面側に向け
て反射する。
【００１９】
次に、広告装置１の全体的な動作について、図面を参照して説明する。この広告装置１
では、図２に示すように、電源が投入された際には、制御部２４が、画像データ入力部２
１に対してＬＡＮを介して表示画像データＤｇ１を入力させる。次いで、制御部２４は、
画像データ入力部２１に入力された表示画像データＤｇ１をＶＲＡＭ２３に記憶させる。
続いて、制御部２４は、ＶＲＡＭ２３から表示画像データＤｇ１を読み出すと共に、補正
用パラメータＤｐを補正パラメータ記憶部２２から読み出して、画像データ補正処理を実
行する。この画像データ補正処理では、制御部２４は、表示画像データＤｇ１を補正用パ
ラメータＤｐに基づいて補正することにより、スクリーンパネル１５ａ，１５ｂの曲率に
起因する画像Ｇの歪みを発生させることなく表示させるための表示画像データＤｇ２を生
成して光学エンジン１２に出力する。
【００２０】
次に、光学エンジン１２が、表示画像データＤｇ２に基づいて画像Ｇを表示するための
投射光Ｌを射出する。この際に、図３に示すように、光学系１７のハーフミラー３１ａが
、投射光Ｌの一部を反射ミラー３１ｂに向けて反射すると共に、投射光Ｌにおけるその一
部を除く残りの投射光Ｌを透過させる。また、反射ミラー３１ｂがハーフミラー３１ａに
よって反射された投射光Ｌをスクリーンパネル１５ａの背面側に向けて反射する。これに
より、スクリーンパネル１５ａの背面側に投射光Ｌが投射されて画像Ｇが表示される。ま
た、反射ミラー３１ｃが、ハーフミラー３１ａを透過した投射光Ｌをスクリーンパネル１
５ｂの背面側に向けて反射する。これにより、スクリーンパネル１５ｂの背面側に投射光
Ｌが投射されてスクリーンパネル１５ｂに画像Ｇが表示される。この場合、制御部２４が
画像データ補正処理を実行して表示画像データＤｇ１を補正し、光学エンジン１２が補正
後の表示画像データＤｇ２に基づく投射光Ｌを射出することにより、画像Ｇがスクリーン
パネル１５ａ，１５ｂの曲率に起因する歪を発生させることなく表示される。また、スク
リーンパネル１５ａ，１５ｂの表示面が、所定の曲率で湾曲した非平面状に形成されてい
るため、スクリーンパネル１５ａ，１５ｂに表示された画像Ｇを斜め横方向からも視認さ
せることができる。
【００２１】
一方、例えば、埃によってスクリーンパネル１５の背面やミラー３１の反射面が汚れた
ときには、図１に示すように、各連結用金具６１，６１・・と各連結用金具６２，６２・
・との係合を解除して、投射ユニット２と表示ユニット３とを分割（分離）する。次に、
スクリーンパネル１５やミラー３１の汚れの除去等のメインテナンス作業を行った後に、
投射ユニット２の上部に表示ユニット３を載置し、各連結用金具６１，６１・・と各連結
用金具６２，６２・・とをそれぞれ係合して両ユニット２，３を連結する。また、例えば
、光学エンジン１２の光源が故障したときには、上記と同様にして、投射ユニット２と表
示ユニット３とを分割して光源の交換作業を行ったり、例えば、スクリーンパネル１５、
ミラー３１および光学エンジン１２などの部品が破損したときにも、上記と同様にして、
投射ユニット２と表示ユニット３とを分割して破損したこれらの部品の交換作業を行う。
この場合、この広告装置１では、通常時には一体化させられている投射ユニット２と表示
ユニット３とが分割可能に構成されているため、メインテナンス作業や交換作業を迅速か
つ容易に行うことができる。なお、スクリーンパネル１５、ミラー３１および光学エンジ
ン１２などの部品が破損したときには、投射ユニット２または表示ユニット３をそれぞれ
ユニットごと交換することにより、さらに迅速に交換作業を行うことができる。
【００２２】
このように、この広告装置１によれば、光学エンジン１２が収容された投射ユニット２
と、スクリーンパネル１５が配設された表示ユニット３とを互いに分割可能に一体化させ
たことにより、両ユニット２，３を分割した状態でメンテナンス作業や破損部品の交換作
業を行うことができるため、これらの作業を迅速かつ容易に行うことができる。
【００２３】
また、スクリーンパネル１５の表示面を非平面状に形成したことにより、スクリーンパ
ネル１５に表示された画像Ｇを斜め横方向からも視認させることができるため、広告効果
を十分に高めることができる。
【００２４】
さらに、ハーフミラー３１ａと反射ミラー３１ｂ，３１ｃとを備えた光学系１７が投射
光Ｌを分割してスクリーンパネル１５ａ，１５ｂに分割した投射光Ｌをそれぞれ投射する
ことにより、１つの光学エンジン１２を用いて２つのスクリーンパネル１５ａ，１５ｂに
画像Ｇを同時に表示することができるため、例えば、１つのスクリーンだけに画像を表示
する広告装置と比較して、広告効果をさらに高めることができる。
【００２５】
次に、図４に示す広告装置１Ａについて説明する。なお、この広告装置１Ａおよび後述
する広告装置１Ｂでは、広告装置１と同様にして、基本的に本発明が適用されている。し
たがって、広告装置１と同じ各構成要素については、同一の符号を付して重複する説明を
省略する。この広告装置１Ａは、同図に示すように、投射ユニット２Ａおよび表示ユニッ
ト３Ａを備えて構成されている。投射ユニット２Ａは、図５に示すように、筐体１１Ａを
備え、この筐体１１Ａ内には、光学エンジン１２および回路基板１３が収容されている。
筐体１１Ａは、図４に示すように、前面、背面および両側面がそれぞれ若干湾曲した箱形
に形成されている。
【００２６】
表示ユニット３Ａは、図４，５に示すように、筐体１４Ａを備え、この筐体１４Ａにお
ける前面、背面および両側面の開口部には、スクリーンパネル４１ａ〜４１ｄ（以下、区
別しないときには「スクリーンパネル４１」ともいう）がそれぞれ配設されている。また
、筐体１４Ａ内には、光学系１７Ａが収容されている。筐体１４Ａは、図４に示すように
、投射ユニット２Ａの筐体１１Ａと同様にして、前面、背面および両側面が若干湾曲した
箱形に形成されている。この場合、図５に示すように、投射ユニット２Ａの上部に表示ユ
ニット３Ａを載置して、各連結用金具６１，６１・・と各連結用金具６２，６２・・とを
それぞれ係合させることにより、両ユニット２Ａ，３Ａが分割可能に一体化される。スク
リーンパネル４１は、本発明におけるスクリーンに相当し、その表示面が筐体１４Ａにお
ける前面、背面および両側面と同等の曲率で湾曲した非平面状に形成されている。光学系
１７Ａは、同図に示すように、光学素子４２を備えて構成されている。光学素子４２は、
光学エンジン１２から射出される投射光Ｌの光路上に配設されて、制御部２４の制御下で
投射光Ｌを反射させる方向を切り替える切替動作を高速で繰り返して実行することにより
、投射光Ｌを高速で切り替えてスクリーンパネル４１ａ〜４１ｄに順次投射する。この場
合、制御部２４は、データ変換処理を実行することにより、画像Ｇが反転して表示される
ことのないように光学素子４２による切替動作に同期して表示画像データＤｇ２を変換す
る。
【００２７】
この広告装置１Ａでは、制御部２４が、広告装置１の動作と同様にして、画像データ補
正処理を実行して、スクリーンパネル４１ａ〜４１ｄに歪みのない画像Ｇを表示させるた
めの表示画像データＤｇ２を生成する。この際に、制御部２４は、データ変換処理をさら
に実行することにより、画像Ｇが反転して表示されることのないように光学素子４２によ
る切替動作に同期して表示画像データＤｇ２を変換しつつ光学エンジン１２に出力する。
これに応じて、光学エンジン１２は、図５に示すように、表示画像データＤｇ２に基づい
て画像Ｇを表示するための投射光Ｌを射出する。この際に、制御部２４は、光学素子４２
に対して上記の切替動作を実行させる。これにより、投射光Ｌが、高速で切り替えられつ
つスクリーンパネル４１ａ〜４１ｄにこの順序で投射されて、画像Ｇが各スクリーンパネ
ル４１ａ〜４１ｄにほぼ同時に表示される。この広告装置１Ａによれば、光学系１７Ａの
光学素子４２が投射光Ｌを切り替えて各スクリーンパネル４１ａ〜４１ｄに投射すること
により、簡易な構成でありながら画像Ｇを各スクリーンパネル４１ａ〜４１ｄにほぼ同時
に表示することができる。
【００２８】
次に、図６に示す広告装置１Ｂについて説明する。この広告装置１Ｂは、同図に示すよ
うに、投射ユニット２Ｂおよび表示ユニット３Ｂを備えて構成されている。投射ユニット
２Ｂは、上部が開口した有底円筒状の筐体１１Ｂを備え、図７に示すように、この筐体１
１Ｂ内には、光学エンジン１２、回路基板１３および回転機構５１が収容されている。こ
の場合、回転機構５１は、制御部２４の制御下で、光学エンジン１２を回転させる。表示
ユニット３Ｂは、下部が開口した有底円筒状の筐体１４Ｂを備え、この筐体１４Ｂにおけ
る側面には、図６に示すように、円筒状にスクリーンパネル５２が配設されている。また
、筐体１４Ｂ内には、光学系１７Ｂが収容されている。この場合、同図に示すように、投
射ユニット２Ｂの上部に表示ユニット３Ｂを載置して、各連結用金具６１，６１・・と各
連結用金具６２，６２・・とをそれぞれ係合させることにより、両ユニット２Ｂ，３Ｂが
分割可能に一体化される。スクリーンパネル５２は、本発明におけるスクリーンに相当し
、筐体１４Ｂとほぼ同径の円筒状に形成されている。光学系１７Ｂは、同図に示すように
、反射ミラー５３と、回転機構５４とを備えて構成されている。反射ミラー５３は、光学
エンジン１２から射出される投射光Ｌの光路上において、水平面に対して所定の角度に傾
斜した状態で配設されて、スクリーンパネル５２における一部の領域に向けて投射光Ｌを
反射する。回転機構５４は、制御部２４の制御に従い、反射ミラー５３を傾斜した状態で
回転させる。
【００２９】
この広告装置１Ｂでは、制御部２４が、広告装置１，１Ａの動作と同様にして、画像デ
ータ補正処理を実行して、スクリーンパネル５２の曲率に起因する画像Ｇの歪を発生させ
ることなく表示させるための表示画像データＤｇ２を生成して光学エンジン１２に出力す
る。次に、光学エンジン１２が、表示画像データＤｇ２に基づいて画像Ｇを表示するため
の投射光Ｌを射出する。この際に、反射ミラー５３がスクリーンパネル５２の背面側にお
ける一部の領域に向けて投射光Ｌを反射する。これにより、図６に示すように、画像Ｇが
スクリーンパネル５２の一部の領域に表示される。次いで、制御部２４は、回転機構５１
に対して光学エンジン１２を回転させると共に、光学系１７Ｂの回転機構５４に対して回
転機構５１による光学エンジン１２の回転と同じ回転速度で反射ミラー５３を回転させる
。この際に、反射ミラー５３の回転によって投射光Ｌの反射方向が連続的に変更させられ
て、円筒状のスクリーンパネル５２における投射光Ｌの投射領域が時間経過と共に移動さ
せられる。これにより、画像Ｇがスクリーンパネル５２の表示面内を移動するようにして
表示される。この広告装置１Ｂによれば、光学系１７Ｂが投射光Ｌの反射方向を連続的に
変更して円筒状のスクリーンパネル５２における投射光Ｌの投射領域を時間経過と共に移
動させることにより、スクリーンパネル５２の表示面内において時間の経過と共に画像Ｇ
が移動するというこれまでにない斬新な画像表示を実現することができるため、広告効果
を一層高めることができる。
【００３０】
なお、本発明は、上記した本発明の実施の形態に限定されない。例えば、スクリーンパ
ネル１５ａ，１５ｂ，４１ａ〜４１ｄの表示面を所定の曲率で湾曲させた構成例について
上記したが、これらに代えて、平面状に形成したスクリーンパネルを採用することもでき
る。また、２つのスクリーンパネル１５ａ，１５ｂを備えた広告装置１、および４つのス
クリーンパネル４１ａ〜４１ｄを備えた広告装置１Ａを例に挙げて上記したが、スクリー
ンパネルの数はこれに限定されず任意に規定することができる。また、円筒状のスクリー
ンパネル５２を備えた広告装置１Ｂを例に挙げて上記したが、このスクリーンパネル５２
に代えて、断面形状が楕円形や多角形の筒状に形成された各種スクリーンパネルを採用す
ることもできる。また、光源としてＬＥＤを用いた光学エンジン１２を例に挙げて上記し
たが、ＬＥＤに代えて、高圧水銀灯やメタルハライドランプ等を光源として用いた光学エ
ンジンを採用することもできる。また、液晶ライトバルブを光変調素子として採用した例
について説明したが、液晶ライトバルブに代えて、反射型の光変調素子を採用することも
できる。また、光学系１７（光学系１７Ａまたは光学系１７Ｂ）を表示ユニット３（表示
ユニット３Ａまたは表示ユニット３Ｂ）内に配設した構成例について上記したが、光学系
１７（光学系１７Ａまたは光学系１７Ｂ）の一部または全部を投射ユニット２（投射ユニ
ット２Ａまたは投射ユニット２Ｂ）内に配設する構成を採用することもできる。
【図面の簡単な説明】
【００３１】
【図１】広告装置１の斜視図である。
【図２】投射ユニット２の構成を示すブロック図である。
【図３】広告装置１の側面断面図である。
【図４】広告装置１Ａの斜視図である。
【図５】広告装置１Ａの側面断面図である。
【図６】広告装置１Ｂの斜視図である。
【図７】広告装置１Ｂの側面断面図である。
【符号の説明】
【００３２】
１，１Ａ，１Ｂ  広告装置、２，２Ａ，２Ｂ  投射ユニット、３，３Ａ，３Ｂ  表示ユ
ニット、１２  光学エンジン、１５ａ，１５ｂ，４１，４１ａ〜４１ｄ，５２  スクリー
ンパネル、１７，１７Ａ，１７Ｂ  光学系、Ｌ  投射光
【図１】
2005274692.tif 000003
【図２】
2005274692.tif 000004
【図３】
2005274692.tif 000005
【図４】
2005274692.tif 000006
【図５】
2005274692.tif 000007
【図６】
2005274692.tif 000008
【図７】
2005274692.tif 000009